(57)【要約】【課題】短辺方向から運搬装置の爪を挿入する場合など、爪の長さが筐体の奥行きよりも短い場合でも、安定した姿勢で安全に運搬する。【解決手段】冷凍装置は、その筐体１を支持する基礎部５に、運搬装置２の爪２ａを挿入して運搬可能に構成されている。また、前記筐体の両長辺側下部に長辺方向に延びるように設けられた一対の基礎部５ａ，５ｂと、前記一対の基礎部を連結するように一体に取り付けられた複数の補強ステー６，６′と、前記筐体下部の短辺側に設けられた運搬装置の爪を挿入するための爪挿入用開口４とを備える。【選択図】図１
2012127592.tif 000002
【特許請求の範囲】
【請求項１】
筐体を支持する基礎部に、運搬装置の爪を挿入して運搬可能に構成された冷凍装置において、
前記筐体の両長辺側下部に長辺方向に延びるように設けられた一対の基礎部と、
前記一対の基礎部を連結するように一体に取り付けられた複数の補強ステーと、
前記運搬装置の爪を挿入するために前記筐体下部の短辺側に設けられた爪挿入用開口とを備えていることを特徴とする冷凍装置。
【請求項２】
請求項１に記載の冷凍装置において、前記補強ステーはハット型に構成されていることを特徴とする冷凍装置。
【請求項３】
請求項１または２に記載の冷凍装置において、前記補強ステーには冷凍装置を構成する機器を締結ボルトにより取り付けるように構成したことを特徴とする冷凍装置。
【請求項４】
請求項３に記載の冷凍装置において、前記補強ステーの内部に、前記締結ボルトの下端が位置するように構成されていることを特徴とする冷凍装置。
【請求項５】
請求項３または４に記載の冷凍装置において、前記補強ステーには熱交換器が締結ボルトで固定されていることを特徴とする冷凍装置。
【請求項６】
請求項１〜５の何れかに記載の冷凍装置において、前記筐体の両長辺側下部に設けられた前記一対の基礎部には、それぞれ運搬装置の爪を挿入するための爪挿入口を設け、筐体の長辺側から運搬装置の爪を前記爪挿入口に挿入して前記一対の基礎部を貫通可能に構成していることを特徴とする冷凍装置。
【請求項７】
請求項１〜６の何れかに記載の冷凍装置において、前記筐体下部の短辺側に設けられた爪挿入用開口は、前記一対の基礎と前記補強ステーとにより形成された開口であり、筐体の正面側から背面側まで貫通していることを特徴とする冷凍装置。
【請求項８】
請求項１〜７の何れかに記載の冷凍装置において、前記複数の補強ステーの下面位置は略同一の高さに構成されていることを特徴とする冷凍装置。
【請求項９】
請求項８に記載の冷凍装置において、前記補強ステーの下面は水平方向に延びたつば部となっており、最も正面側と最も背面側に位置する補強ステーの前記つば部は内側方向にのみ延びていることを特徴とする冷凍装置。
【発明の詳細な説明】
【技術分野】
【０００１】
本発明は、冷蔵用や冷凍用の冷凍機や空気調和機などの冷凍装置に係り、特に冷凍装置の設置や移動のために、フォークリフトやリフターなどの運搬装置による運搬に適する構造にしているものに関する。
【背景技術】
【０００２】
フォークリフトなどの運搬装置による運搬に適する構造にしている従来の冷凍装置としては、例えば特許文献１（特開平０７−１４５９６２号公報）や特許文献２（特開平０８−０７５１９２号公報）に記載のものがある。
【０００３】
特許文献１のものでは、空気調和機本体の下部に、運搬用フォークリフトのフォークを貫通させて運搬可能な通し穴を設けると共に、この通し穴は、正面から背面、及び一方の側面から他方の側面に貫通した複数組設けることが開示されている。これにより、運搬用のパレットが不要となることや、従来設けていた配管引出口を省略できることなどが記載されている。
【０００４】
また、特許文献２（特開平０８−０７５１９２号公報）のものには、室外ユニットの底板に、フォークリフトの爪挿入方向と直角方向に補強ステーを取付けことが開示され、これによりユニットの奥行きよりも短いフォークリフトを用いた場合でも、爪が前記補強ステーに掛かり、底板を傷つけずにリフトアップできることなどが記載されている。
【先行技術文献】
【特許文献】
【０００５】
【特許文献１】特開平０７−１４５９６２号公報
【特許文献２】特開平０８−０７５１９２号公報
【発明の概要】
【発明が解決しようとする課題】
【０００６】
上記特許文献２のものでは、爪が冷凍装置の奥行きよりも短いフォークリフトを用いた場合、その爪を受け止める補強ステーを設けているが、この補強ステーは底板に固定されており、基礎部（ユニット足部）と一体化されていない。  
従って、冷凍装置を持ち上げた際に、冷凍装置の荷重が底板に掛かってしまい、安定した姿勢で室外ユニットをリフトアップできないおそれがある。
【０００７】
本発明の目的は、短辺方向から運搬装置の爪を挿入する場合など、爪の長さが筐体の奥行きよりも短い場合でも、安定した姿勢で安全に運搬することができる冷凍装置を得ることにある。
【課題を解決するための手段】
【０００８】
上記目的を達成するため、本発明は、筐体を支持する基礎部に、運搬装置の爪を挿入して運搬可能に構成された冷凍装置において、前記筐体の両長辺側下部に長辺方向に延びるように設けられた一対の基礎部と、前記一対の基礎部を連結するように一体に取り付けられた複数の補強ステーと、前記運搬装置の爪を挿入するために前記筐体下部の短辺側に設けられた爪挿入用開口とを備えていることを特徴とする。
【０００９】
ここで、前記補強ステーはハット型に構成すると良い。また、前記補強ステーには冷凍装置を構成する機器を締結ボルトにより取り付けるように構成すると良い。更に、前記補強ステーの内部に、前記締結ボルトの下端が位置することが好ましい。冷凍装置を構成する機器として、例えば熱交換器を前記補強ステーに締結ボルトで固定することができる。
【００１０】
前記筐体の両長辺側下部に設けられた前記一対の基礎部には、それぞれ運搬装置の爪を挿入するための爪挿入口を設け、筐体の長辺側から運搬装置の爪を前記爪挿入口に挿入して前記一対の基礎部を貫通可能に構成しても良い。
【００１１】
前記筐体下部の短辺側に設けられた爪挿入用開口は、前記一対の基礎と前記補強ステーとにより形成された開口であり、筐体の正面側から背面側まで貫通した構成にすると良い。
【００１２】
なお、前記複数の補強ステーの下面位置は略同一の高さに構成することが好ましい。また、前記補強ステーの下面は水平方向に延びたつば部とし、最も正面側と最も背面側に位置する補強ステーの前記つば部は内側方向にのみ延びた構成にすると良い。
【発明の効果】
【００１３】
本発明によれば、短辺方向から運搬装置の爪を挿入する場合など、爪の長さが筐体の奥行きよりも短い場合でも、安定した姿勢で安全に運搬することができる冷凍装置が得られる効果がある。
【図面の簡単な説明】
【００１４】
【図１】本発明の実施例１を示す冷凍装置の筐体に運搬装置の爪を挿入して運搬する時のようすを説明する図で、（ａ）は正面図、（ｂ）は側面図。
【図２】図１に示す冷凍装置の基礎部付近の構成を示す図で、（ａ）は基礎部付近の平面図、（ｂ）は（ａ）図のＡ−Ａ断面図、（ｃ）は（ａ）図の側面図。
【図３】本発明の実施例１の冷凍装置を運搬設置する場合の一例を説明する斜視図。
【図４】従来の冷凍装置における基礎部分の構成を説明する図で、（ａ）は基礎部分の平面図、（ｂ）は（ａ）図のＡ−Ａ断面図。
【発明を実施するための形態】
【００１５】
以下、本発明の冷凍装置の実施例を、図面を用いて説明する。各図において同一符号を付した部分は同一或いは相当する部分を示している。
【実施例１】
【００１６】
本発明の実施例１の冷凍装置を図１〜図３により説明する。また、本発明に対応する従来例を図４に示す。  
まず、図４により、従来の冷凍装置の構造を説明する。図４は従来の冷凍装置における基礎部分の構成を説明する図で、（ａ）は基礎部分の平面図、（ｂ）は（ａ）図のＡ−Ａ断面図である。
【００１７】
図４において、５は冷凍装置の基礎部で、この基礎部の上には装置の筐体（図示せず）と底板８が取り付けられている。前記底板８の上面には冷凍装置を構成する機器である熱交換器や圧縮機（何れも図示せず）などが締結ボルト７により取り付けられている。また、前記底板８の下面には、フォークリフトやリフターなどの運搬装置２の爪２ａの挿入方向と直角方向に補強ステー６１が取り付けられており、また運搬装置２の爪の挿入方向と平行な補強ステー６２も取り付けられている。
【００１８】
そして、前記基礎部５に設けられた爪挿入口３から運搬装置２の爪２ａを挿入して冷凍装置を持ち上げ、運搬することができるようになっている。爪２ａが冷凍装置の奥行きよりも短い運搬装置２を用いた場合、爪２ａを両端に設けた爪挿入口３に貫通させることはできないが、この場合には、（ａ）（ｂ）図に示すように、前記爪２ａの先端側が前記補強ステー６１に掛かるので、運搬装置２の爪２ａを底板８に接触させずに冷凍装置を持ち上げ、運搬することができる。
【００１９】
しかし、運搬装置２の爪２ａの挿入角度によっては、（ｂ）図に示すように、締結ボルト７に当たって締結ボルトを破損させてしまう。また、前記補強ステー６１，６２は底板８に取り付けられているため、補強ステーに大きな荷重が作用しても底板が変形しないように肉厚の大きい鋼板製の底板を用いる必要があり、重量が大きくコストもアップしていた。
【００２０】
次に、これら従来の課題を解決することができる本発明の冷凍装置の実施例１を図１〜図３を用いて説明する。  
図１は本発明の実施例１を示す冷凍装置の筐体に、運搬装置の爪を挿入して運搬する時のようすを説明する図で、（ａ）は正面図、（ｂ）は側面図である。
【００２１】
図１において、１は冷凍装置の筐体で、この筐体１は下部に設けた基礎部５と一体化した構造となっている。また、前記筐体１は、図１の（ｂ）図に示すように、本実施例では、冷凍装置の筐体１の正面側には、冷凍装置を制御する制御装置などの電気品が収納された電気品箱１ａが設けられており、このため前記筐体１の正面側は凸形状に構成されている。
【００２２】
前記筐体１の両長辺側（本実施例では側面側）下部に設けられた一対の基礎部５（５ａ，５ｂ）には、（ｂ）図に示すように、運搬装置２の爪２ａを挿入するための爪挿入口３がその幅方向両側に形成されている。この爪挿入口３は冷凍装置の長辺側から運搬装置２の爪２ａを挿入し、前記一対の基礎部５を貫通させて運搬する場合に使用される。
【００２３】
また、運搬装置２の爪２ａを冷凍装置の短辺側から挿入して運搬できるように、冷凍装置の短辺側には、（ａ）図に示すように、左右の基礎部５（５ａ、５ｂ）の間に爪挿入用の開口４が設けられている。このように本実施例では、冷凍装置の短辺側には長辺側に設けたような爪挿入口（通し穴）３は設けず、前記基礎部５と筐体１とで形成された爪を挿入できる開口（空間）としている。これにより、短辺方向４から運搬装置爪２ａを挿入する場合、爪２ａを爪挿入口穴に挿入する必要はないから。爪２ａの幅の選択の自由度を高くできる。
【００２４】
図１に示す６，６′は、前記左右の基礎部５（５ａ、５ｂ）を連結するように、基礎部５に溶接などで一体化して取り付けられた補強ステーで、この補強ステーは、６に示す中央側のものはハット型に構成され、また６′で示す両側（最も正面側と最も背面側）の補強ステーはつば部が内側方向にのみ延びている略ハット型となっている。なお、ハット型には略ハット型も含むものとして説明する。
【００２５】
この補強ステー６，６′は図４に示した従来の冷凍装置の底板８としての機能も備えており、冷凍装置を構成する熱交換器や圧縮機などの機器はこの補強ステー６，６′に取り付けられている。例えば、図１（ｂ）に示す９は熱交換器であり、この熱交換器９は補強ステー６や６′に締結ボルト（図示せず）により取り付けられている。
【００２６】
前記複数の補強ステー６，６′の下面位置は略同一の高さに構成しており、また前記下面は水平方向に延びたつば部となっている。従って、運搬装置２の爪２ａが図１（ｂ）に示すように、冷凍装置の短辺側の前記爪挿入用開口４から挿入されると前記補強ステー６，６′の下面に案内されてスムーズに挿入することができ、また安定した姿勢で冷凍装置を持ち上げることができる。なお、前記爪挿入用開口４は前記一対の基礎部５とこの補強ステーにより構成するようにしても良く、また爪挿入用開口４は筐体（冷凍装置）の正面側から背面側まで貫通する構成となっている。
【００２７】
本実施例の冷凍装置は、前述したように、前記筐体１の正面側に電気品箱１ａが設けられているため、正面側に凸形状に構成されている。このような冷凍装置を短辺側（正面側）から運搬装置２の爪２ａを挿入しようとすると、前記電気品箱１ａの分だけ通常より長い爪の運搬装置が必要になる。しかし、本実施例に示した基礎部構造を採用することにより、図１（ｂ）に示すように、爪２ａが筐体１を貫通できない場合であっても、前記爪２ａは前記補強ステー６，６′に案内されて挿入され、爪の先端側も前記補強ステー６に掛かるので、運搬装置２の爪２ａを前記締結ボルトなどに接触させずに挿入して、冷凍装置を持ち上げ、運搬することができる。
【００２８】
また、前記補強ステー６，６′は、爪２ａの挿入方向と交差するように配置されると共に、前記基礎５と一体化して構成されているので、筐体１の荷重を良好に受けることができる。  
なお、前記電気品箱１ａが正面側に出っ張らない形状の冷凍装置で、爪２ａが冷凍装置の奥行きよりも短い運搬装置２を用いた場合でも、同様の効果が得られる。また、図１（ａ）に示すように、運搬装置２の爪２ａを、冷凍装置の長辺側（側面側）から挿入する場合には、左右の爪挿入口（通し穴）３に爪２ａを貫通させて運搬できる。
【００２９】
次に、前記基礎部付近の構成を図２に詳細に示す。  
図２は、図１に示す冷凍装置の基礎部付近の構成を示す図で、（ａ）は基礎部付近の平面図、（ｂ）は（ａ）図のＡ−Ａ断面図、（ｃ）は（ａ）図の側面図である。
【００３０】
図２の（ａ）図に示すように、補強ステー６，６′は左右の基礎部５（５ａ，５ｂ）に接続されるように溶接で一体化されている。７は冷凍装置を構成する熱交換器９（図１参照）などの機器を前記補強ステー６、６′や前記基礎部５に取り付けるための締結ボルトである。（ｂ）図や（ｃ）図に示すように、中央側の２つの補強ステー６はハット型に構成され、また両側の補強ステー６′はつば部が内側のみを向いた略ハット型に構成されている。各補強ステー６，６′の下面（つば部下面）は同一或いは略同一の高さに構成され、運搬装置２の爪２ａが挿入された際、筐体の荷重を複数の前記補強ステー６，６′により分散して受けることができると共に、安定した姿勢で筐体（冷凍装置）を持ち上げることができる。
【００３１】
また、冷凍装置を構成する機器は締結ボルト７により前記補強ステー６，６′の上面に取り付けられるため、締結ボルト７の下端側は前記補強ステー６，６′の内部（凹部内）に位置することになる。従って、締結ボルト７は補強ステー６，６′の内部に十分に隠れるように配置される。これにより、（ｂ）図及び（ｃ）図に示すように、運搬装置２の爪２ａが挿入される際に、爪２ａが斜めに挿入されたとしても、締結ボルトを破損するのを防止することができる。
【００３２】
なお、本実施例においては、爪挿入口３は、冷凍装置の長辺側の基礎部５（５ａ，５ｂ）にのみ設けられており、この長辺側（側面側）から運搬装置の爪２ａを挿入して冷凍装置を運搬する場合には、奥行きが小さいので、前記爪２ａを基礎部５ａと５ｂに設けた爪挿入口３に貫通させて持ち上げることができる。
【００３３】
また、本実施例では、前記補強ステー６，６′は、図４に示す従来の冷凍装置における底板８の機能も兼用しているため、従来の底板８は不要となり、部品点数を削減できるから、軽量化及び原価低減を図ることができる。なお、前記補強ステー６，６′の上面に水受け用ドレンパンとして機能する比較的薄い底板を取付け、筐体下部を塞ぐようにしても良い。
【００３４】
上述した本発明の実施例１の冷凍装置を実際に据付けたり、据え付けられている冷凍装置を移動させる場合の例を図３により説明する。この例は３台の冷凍装置を横一列に連続設置している場合の例である。
【００３５】
冷凍装置を最初に設置する場合には、図３に示すように、冷凍装置の前部から、爪挿入用開口４から運搬装置２の爪２ａを挿入する、或いは冷凍装置の側面から、爪挿入口３に運搬装置２の爪２ａを挿入して、冷凍装置を持ち上げ、所定位置に運搬して設置することができる。
【００３６】
図３に示すように、冷凍装置が連続設置されている状態や、冷凍装置の筐体１の両脇が壁となっているような場合には、冷凍装置のメンテナンスが困難になることがある。しかし、本実施例の冷凍装置では、爪挿入用開口４を利用して、冷凍装置の正面側から運搬装置２を挿入し、冷凍装置を手前に引き出すことで、冷凍装置のメンテナンスを容易に行うことができる。また、本実施例の冷凍装置を採用することにより、冷凍装置が連続設置されている場合でも、各冷凍装置の移動や交換を容易に行うことができる。
【００３７】
以上述べた本実施例によれば、冷凍装置の長辺側に配置された左右の基礎５を接続するように一体に取り付けられた複数のハット型或いは略ハット型の補強ステー６，６′を備え、この補強ステーに冷凍装置を構成する部品を締結ボルト７により取り付けるように構成しているので、以下の効果が得られる。
（１）運搬装置２の爪の長さが冷凍装置の奥行き方向の長さよりも短い場合であっても、冷凍装置を安定した姿勢で持ち上げて運搬することができ、爪の長さの大きな運搬装置を準備する必要がなくなる。また、筐体１の長辺側及び短辺側の何れの方向からでも運搬装置の爪を挿入して、安定した姿勢で安全に運搬することができる。
（２）従来の補強ステーは特許文献２に示すように、底板に固定されていたため、筐体の荷重が前記補強ステーに集中した場合、底板が変形して破損したり、或いは安定した姿勢で冷凍装置をリフトアップすることはできなかった。このため、底板をより厚くするなどの対策が必要になりコストアップしたり、重量が大きくなる課題があった。これに対し、本実施例では、一対の基礎部を連結するように複数の補強ステーを一体に取り付けているので、前記従来の課題を解消できる。
（３）冷凍装置の機器を取り付ける締結ボルト７はハット型或いは略ハット型などの補強ステー６，６′内部に位置することになるので、冷凍装置に運搬装置の爪を挿入する際や運搬中に、爪が締結ボルトに当たって締結ボルトを破損するのを確実に防止できる。
（４）冷凍装置を構成する機器はハット型或いは略ハット型などの補強ステーに締結ボルトで締結することができるので、従来のような底板を不要にできるか、或いは薄い底板を使用することができ、これにより原価低減や機能化を図れ、また、底板を使用しない場合には部品点数の削減も図れる。特許文献２に記載されている補強ステーは冷凍装置としては本来不要な部品であり、運搬のためだけに特別に設けられていたものであるが、本実施例によれば、運搬のためだけの補強ステーを不要にできるから減価低減が図れる。
（５）冷凍装置の短辺側には爪挿入用開口４を設け、長辺側には爪挿入口３を設けることにより、短辺側及び長辺側の何れの方向からでも運搬装置の爪を挿入して運搬することができる。
【００３８】
なお、上述した実施例において、補強ステーは、ハット型（略ハット型も含む）とすることが好ましいが、必ずしもハット型に限定されるものではなく、運搬装置の爪をガイドできるものであれば、凹型など他の形状のものでも良い。
【符号の説明】
【００３９】
１：冷凍装置の筐体、１ａ：電気品箱、
２：運搬装置（フォークリフトやリフターなど）、２ａ：爪、
３：爪挿入口、
４：爪挿入用開口、
５（５ａ，５ｂ）：基礎部、
６，６′：補強ステー、
７：締結ボルト、
８：底板、
９：熱交換器。
【図１】
2012127592.tif 000003
【図２】
2012127592.tif 000004
【図３】
2012127592.tif 000005
【図４】
2012127592.tif 000006